(57)【要約】【課題】短時間で遠赤外線による効果が得られる遠赤外線放射器具を提供する。【解決手段】断熱材１１が、遠赤外線放射物質を含んだ発泡シートから成っている。電磁波反射板１２が、断熱材１１よりやや大きく、一方の表面に電磁波反射面１２ａを有している。電磁波反射板１２は、電磁波反射面１２ａの反対側に断熱材１１を収納可能な収納部１２ｂを有し、収納部１２ｂに断熱材１１を封入している。布製ケース１３が、内部に電磁波反射板１２を封入している。遠赤外線放射体１４が、小さい球状の遠赤外線放射物質１４ａとホワイトゴールド１４ｂとを、数珠状に繋いで形成されている。遠赤外線放射体１４は、布製ケース１３の電磁波反射面１２ａの側に固定されている。電磁波反射板１２は、電磁波反射面１２ａを遠赤外線放射体１４に向けて、断熱材１１と遠赤外線放射体１４との間に挟まれている。【選択図】図１
0003112887.tif 000002
【実用新案登録請求の範囲】
【請求項１】
断熱材と、遠赤外線放射体と、電磁波反射面を有しその電磁波反射面を前記遠赤外線放射体に向けて前記断熱材と前記遠赤外線放射体との間に挟まれた電磁波反射板とを備えていることを、特徴とする遠赤外線放射器具。
【請求項２】
前記遠赤外線放射体は遠赤外線放射物質の粉末をゴムに分散させ板状に成形して成ることを、特徴とする請求項１記載の遠赤外線放射器具。
【請求項３】
前記遠赤外線放射体は球状の遠赤外線放射物質の表面の一部に電磁波反射材でメッキ処理を施して成ることを、特徴とする請求項１記載の遠赤外線放射器具。
【請求項４】
前記遠赤外線放射体を加熱するための発熱体を備えていることを、特徴とする請求項１，２または３記載の遠赤外線放射器具。
【考案の詳細な説明】
【技術分野】
【０００１】
本考案は、人体に対して使用される遠赤外線放射器具に関する。
【背景技術】
【０００２】
一般に、数百度程度の高温で効率よく遠赤外線を放射する素子は、セラミックスなど数多くあり、暖房・加熱・乾燥器具等のヒータの材料として、広く応用されている。一方、体温程度の温度で遠赤外線を放射する物質も種々知られており、これまでも様々な応用が試みられてきている。そのような物質として、例えば、シリカ（二酸化珪素）に、炭素やアルミナと微量のミネラルとが混入しているブラックシリカ（黒鉛珪素）や天降石が知られている。ブラックシリカや天降石は、純粋なシリカが遠赤外線を放射する温度と比べて、はるかに低温側の体温程度でも微弱ではあるが遠赤外線を放射することができる。
【０００３】
なお、遠赤外線は、絶対零度０Ｋ（−２７３℃）以上では、量の多少はあっても、全ての物体から放射されている電磁波であり、人間の体温（約３６．５度）程度では、その波長が１０マイクロメートル程度である。これと同じ波長の遠赤外線が人体に与えられると、身体を構成している細胞の分子の運動が共振（あるいは共鳴現象ともいう）により活発化するため、血行が促進され、新陳代謝が活発化して身体が温まることが知られている。
【０００４】
従来、体温程度で遠赤外線を放射する遠赤外線素子を応用したものとして、トルマリンと麦飯石とラジウムと石英との粉砕物を患部に接触可能に構成した凝り等解消用患部貼付剤や（特許文献１参照）、ブラックシリカ原石を研磨加工してリング状につなげた健康具や（特許文献２参照）、粉粒化された天降石または遠赤外線放射物質をゴムに混入したゴムマットがある（特許文献３参照）。
【０００５】
【特許文献１】特開２００４−１１５４８７号公報
【特許文献２】実用新案登録第３１０１８０９号公報
【特許文献３】実用新案登録第３０６７４３７号公報
【考案の開示】
【考案が解決しようとする課題】
【０００６】
しかしながら、特許文献１，２または３記載の遠赤外線素子を応用したものは、遠赤外線による効果が表れるまでに時間がかかるという課題があった。
【０００７】
本考案は、このような従来の課題に着目してなされたもので、短時間で遠赤外線による効果が得られる遠赤外線放射器具を提供することを目的とする。
【課題を解決するための手段】
【０００８】
上記目的を達成するために、本考案に係る遠赤外線放射器具は、断熱材と、遠赤外線放射体と、電磁波反射面を有しその電磁波反射面を前記遠赤外線放射体に向けて前記断熱材と前記遠赤外線放射体との間に挟まれた電磁波反射板とを備えていることを、特徴とする。
【０００９】
本考案に係る遠赤外線放射器具は、電磁波反射面を人の身体に向けて使用される。遠赤外線放射体が身体に向かって放射する遠赤外線により、血行を促進し、新陳代謝を活発化させて身体を温めることができる。このとき、遠赤外線放射体および人の身体により身体の外側に向かって放射される遠赤外線も、電磁波反射面により身体に向かって反射されるため、効率よく身体を温めることができる。また、断熱材により、温められた身体を保温することができるとともに、遠赤外線放射体を温めることもできる。遠赤外線放射体は温められるとより強い遠赤外線を放射するため、さらに効率よく身体を温めることができる。このように、断熱材と電磁波反射板との相乗効果により、短時間で遠赤外線による効果が得られる。
【００１０】
本考案に係る遠赤外線放射器具で、電磁波反射板は、電磁波反射面の反対側に断熱材を収納可能な収納部を有していてもよい。また、遠赤外線による効果をより高めるために、断熱材は、遠赤外線放射物質を含んだ発泡シートから成っていてもよい。電磁波反射板は、一方の面に断熱材を貼り付けたものであっても、袋状にした内部に断熱材を封入したものであってもよい。
【００１１】
本考案に係る遠赤外線放射器具で、前記遠赤外線放射体は遠赤外線放射物質の粉末をゴムに分散させ板状に成形して成ることが好ましい。この場合、所定の範囲内では、身体からの距離によらず遠赤外線による効果を維持することができる。すなわち、遠赤外線放射体が球などの小さい塊状から成る場合に、遠赤外線による効果が距離の２乗に反比例して急激に低下するのに比べ、遠赤外線による効果の低下を抑えることができる。このため、衣服の外側からでも、遠赤外線による効果が得られる。
【００１２】
また、本考案に係る遠赤外線放射器具で、前記遠赤外線放射体は球状の遠赤外線放射物質の表面の一部に電磁波反射材でメッキ処理を施して成っていてもよい。この場合、遠赤外線放射物質が放射する遠赤外線を、電磁波反射材で人の身体に向けて反射させることにより、効率よく身体を温めることができる。また、メッキ処理により、見た目がよく、アクセサリなどの装飾品としても兼用することができる。なお、遠赤外線放射体は、金色や銀色でメッキ処理を施されていてもよく、遠赤外線による効果をより高めるために、天降石またはブラックシリカの粉末と金色または銀色メッキ素子粉末とを固めたものでメッキ処理を施されていてもよい。
【００１３】
本考案に係る遠赤外線放射器具は、前記遠赤外線放射体を加熱するための発熱体を備えていてもよい。この場合、発熱体が遠赤外線放射体を加熱することにより、遠赤外線放射体がより強い遠赤外線を放射するため、効率よく身体を温めることができ、より短時間で遠赤外線による効果が得られる。なお、発熱体は、セラミック炭素繊維や複数の細線から成る面状ヒータや、市販の小型カイロであってもよい。また、発熱体は、温度調節可能であってもよい。
【考案の効果】
【００１４】
本考案によれば、短時間で遠赤外線による効果が得られる遠赤外線放射器具を提供することができる。
【考案を実施するための最良の形態】
【００１５】
以下、図面に基づき本考案の実施の形態について説明する。
図１および図２は、本考案の第１の実施の形態の遠赤外線放射器具を示している。
図１に示すように、遠赤外線放射器具１０は、断熱材１１と電磁波反射板１２と布製ケース１３と遠赤外線放射体１４とを有している。
【００１６】
断熱材１１は、遠赤外線放射物質を含んだ発泡シートから成っている。遠赤外線放射物質には、例えば、ブラックシリカや遠赤外線を放射するその他の天然鉱石を用いることができる。発泡シートは、例えば、発泡ポリエチレンから成る。
【００１７】
電磁波反射板１２は、断熱材１１よりやや大きく、一方の表面に、アルミ箔から成る電磁波反射面１２ａを有している。電磁波反射板１２は、電磁波反射面１２ａの反対側に断熱材１１を収納可能な収納部１２ｂを有して、袋状に形成されている。電磁波反射板１２は、収納部１２ｂに断熱材１１を封入している。
布製ケース１３は、内部に電磁波反射板１２を封入している。
【００１８】
遠赤外線放射体１４は、小さい球状の遠赤外線放射物質１４ａとホワイトゴールド１４ｂとを、数珠状に繋いで形成されている。遠赤外線放射物質１４ａは、ブラックシリカから成る。遠赤外線放射体１４には、ゲルマニウム鉱石が組み込まれていてもよい。遠赤外線放射体１４は、布製ケース１３の電磁波反射面１２ａの側に固定されている。なお、具体的な一例では、遠赤外線放射体１４は、球状でそれぞれの直径が３〜５ｍｍの７２個の遠赤外線放射物質１４ａを有している。
このように、電磁波反射板１２は、電磁波反射面１２ａを遠赤外線放射体１４に向けて、断熱材１１と遠赤外線放射体１４との間に挟まれている。
【００１９】
次に、作用について説明する。
遠赤外線放射器具１０は、電磁波反射面１２ａを人の身体に向けて使用される。遠赤外線放射器具１０は、サポータで固定したり、フェルト製のベルトに面ファスナーで貼り付けたりして、身体に取り付けられる。遠赤外線放射器具１０は、遠赤外線放射体１４が身体に向かって放射する遠赤外線により、血行を促進し、新陳代謝を活発化させて身体を温めることができる。このとき、遠赤外線放射体１４および人の身体により身体の外側に向かって放射される遠赤外線も、電磁波反射面１２ａにより身体に向かって反射されるため、効率よく身体を温めることができる。
【００２０】
また、断熱材１１により、温められた身体を保温することができるとともに、遠赤外線放射体１４を温めることもできる。遠赤外線放射体１４は温められるとより強い遠赤外線を放射するため、さらに効率よく身体を温めることができる。このように、断熱材１１と電磁波反射板１２との相乗効果により、短時間で遠赤外線による効果が得られる。なお、断熱材１１が、遠赤外線放射物質１４ａを含んでいるため、遠赤外線による効果をより高めることができる。
【００２１】
図２に示すように、遠赤外線放射器具１０で、遠赤外線放射体１４は、表面の一部に電磁波反射材でメッキ処理を施した球状の遠赤外線放射物質１４ｃと、メッキ処理を施していない遠赤外線放射物質１４ｄとを、数珠状に繋いで成っていてもよい。メッキには、金または銀を用いることができる。遠赤外線放射物質１４ｃおよび遠赤外線放射物質１４ｄには、ブラックシリカを用いることができる。遠赤外線放射物質１４ｃが放射する遠赤外線を、電磁波反射材で人の身体に向けて反射させることにより、効率よく身体を温めることができる。また、メッキ処理により、見た目がよく、アクセサリなどの装飾品としても兼用することができる。アクセサリとして使用する場合には、図２に示すように、磁石などから成る接続部１４ｅを設けて、ネックレスやブレスレットとして使用することができる。
【００２２】
図３および図４は、本考案の第２の実施の形態の遠赤外線放射器具２０を示している。
図３に示すように、遠赤外線放射器具２０は、断熱材１１と電磁波反射板１２と遠赤外線放射体２１と布製ケース２２とを有している。なお、断熱材１１および電磁波反射板１２の構成は、本考案の第１の実施の形態の構成と同様であり、同一の部材には同一の符号を付して重複する説明を省略する。
【００２３】
遠赤外線放射体２１は、遠赤外線放射物質であるブラックシリカの粉末をゴムに分散させ、板状に成形して成っている。遠赤外線放射体２１は、電磁波反射面１２ａに貼り付けられている。なお、具体的な一例では、遠赤外線放射体２１は、シリコンゴムが約５５％、ブラックシリカが約４５％の割合で混合されている。
【００２４】
布製ケース２２は、内部に遠赤外線放射体２１が貼り付けられた電磁波反射板１２を封入している。
このように、遠赤外線放射器具２０は、電磁波反射面１２ａを遠赤外線放射体２１に向けて、断熱材１１と遠赤外線放射体２１との間に電磁波反射板１２が挟まれている。
【００２５】
遠赤外線放射器具２０は、所定の範囲内では、身体からの距離によらず遠赤外線による効果を維持することができる。すなわち、遠赤外線放射体が球などの小さい塊状から成る場合に、遠赤外線による効果が距離の２乗に反比例して急激に低下するのに比べ、遠赤外線による効果の低下を抑えることができる。このため、衣服の外側からでも、遠赤外線による効果が得られる。
【００２６】
なお、図４に示すように、遠赤外線放射器具２０は、遠赤外線放射体２１を加熱するための発熱体２３と、発熱体２３用の電源２４と、発熱体２３の温度を調節可能な温度調節器２５とを備えていてもよい。発熱体２３は、複数の細線２３ａから成る面状ヒータであり、電源２４は、携帯可能な充電式のバッテリから成る。この場合、発熱体２３が遠赤外線放射体２１を加熱することにより、遠赤外線放射体２１がより強い遠赤外線を放射するため、効率よく身体を温めることができ、より短時間で遠赤外線による効果が得られる。なお、発熱体２３には、小型カイロを用いてもよい。
【実施例１】
【００２７】
図１に示す遠赤外線放射器具１０の効果を調べた。なお、比較のために、図５に示すように、遠赤外線放射器具１０の遠赤外線放射体１４を、布５１の上に固定したもの（以下、「数珠状シリカ５０」という）を準備した。
図１に示す遠赤外線放射器具１０の効果と、図５に示す数珠状シリカ５０の効果とを比較するため、被験者（女性、７０才）に対して以下の実験を行った。
【００２８】
被験者は、両足のヒザが曲げても歩いても痛く、すり足でゆっくり歩く状態である。また、正座は全くできず、足を伸ばしたまま座って生活している。
まず、数珠状シリカ５０を、両足のヒザにサポータで固定し、所定時間経過後の症状を記録した。
【００２９】
症状は、以下に示す５段階評価で記録した。
１：ヒザに暖かさを感じる。２：歩くと少し痛いが、ヒザの痛みが和らいでいる。３：足が軽く感じて痛み無く歩けるが、ヒザを曲げると痛みを感じる。４：歩いても、ヒザを曲げても痛みは殆ど無いが、ヒザを大きくは曲げられない。５：普通の歩き方では痛みが無く、楽に歩ける。正座をすると、お尻と踵とを５ｃｍ位まで近づけることができ、座る形ができる。
【００３０】
図６の四角印で示すように、数珠状シリカ５０でも、１２０分後には、楽な歩行ができる（評価５）まで症状が改善されており、遠赤外線による効果が得られている。
その後、数珠状シリカ５０を必要に応じて使用した結果、この被験者は、数珠状シリカ５０なしでも不自由なく歩行できるようになったが、正座できない症状が続いていた。
【００３１】
このため、数珠状シリカ５０による実験から５ヶ月後に、同じ被験者に対して、図１に示す遠赤外線放射器具１０を用いて実験を行った。実験は、遠赤外線放射器具１０を、両足のヒザにサポータで固定し、所定時間経過後の症状を記録した。
症状は、数珠状シリカ５０のときの評価とは異なる、以下に示す５段階評価で記録した。
１：ヒザに暖かさを感じる。２：正座をすると、お尻と踵とを６ｃｍ位まで近づけることができる。３：正座をすると、お尻と踵とを３ｃｍ位まで近づけることができる。４：正座をすると、お尻を踵に載せることができるが、痛みのため長くはできない。５：正座して、お尻を踵に１分以上載せても痛みがなく、立つ時も痛みを感じない。
【００３２】
図６の丸印で示すように、遠赤外線放射器具１０では、３０分後には、楽に正座できる（評価５）まで症状が改善されている。このように、遠赤外線放射器具１０は、より短時間で遠赤外線による効果が得られる。また、数珠状シリカ５０により改善された症状よりも、症状が改善されており、数珠状シリカ５０よりも高い遠赤外線による効果が得られる。
【実施例２】
【００３３】
図１に示す遠赤外線放射器具１０の効果と、図３に示す遠赤外線放射器具２０の効果とを比較するため、被験者（女性、７２才）に対して以下の実験を行った。
被験者は、左足のヒザが痛く、右足で左足をかばいながらゆっくり歩く状態である。また、左ヒザを曲げると痛むので、殆ど右足に負荷をかけて歩く状態である。
【００３４】
遠赤外線放射器具１０または遠赤外線放射器具２０を、左ヒザにサポータで固定し、所定時間経過後の症状を記録した。
症状は、以下に示す５段階評価で記録した。
１：ヒザに暖かさを感じる。２：痛みが殆どなくなり、平地での歩行は普通にできる。正座は、中腰程度まで可能である。３：平地での歩行は全く問題なし。正座はできるが、立つ時に痛みを感じる。４：階段を上るとき、ヒザに少し痛みを感じる。正座の状態から立ち上がる時の痛みは全く感じない。５：ヒザの痛みを全く感じずに、階段の上り下りが楽にできる。
【００３５】
実験は、初日に遠赤外線放射器具１０を使用して行った。次に、中４日あけて５日目に、同じ遠赤外線放射器具１０を使用して同様の実験を行った。さらに、中４日あけて１０日目に、遠赤外線放射器具２０を使用して同様の実験を行った。
図７に示すように、遠赤外線放射器具１０および遠赤外線放射器具２０は、ともに３０〜４０分で階段の上り下りが楽にできる程度（評価５）まで症状が改善されており、短時間で遠赤外線による効果が得られる。なお、初日よりも５日目および１０日目の方が、短時間で症状の改善が認められるため、繰り返し使用することによる回復効果も得られている。
【実施例３】
【００３６】
図３に示す遠赤外線放射器具２０の健常者に対する効果を調べた。
実験は、市販の小型カイロを貼り付けた遠赤外線放射器具２０を、衣服の上から被験者（女性、５６才）の腰の位置に固定して行った。
所定の時間毎に、階段のような一段高い場所でヒザを真っ直ぐに伸ばして前屈をしてもらい、手の指先が足の親指の位置よりどの程度下の方まで伸ばせるかを調べた。
【００３７】
図８に示すように、遠赤外線放射器具２０では、時間と共に手の指先の到達距離が伸び、５０分後には１０ｃｍ以上の伸びている。これは遠赤外線による血流促進効果により、細胞が柔軟化し、身体が本来曲がれる状態に近くなるためと考えられる。なお、図８に示すように、入浴後の指先到達距離の伸びは６ｃｍ程度であり、腰だけを市販の小型カイロで温めた場合とほぼ同じである。遠赤外線放射器具２０の遠赤外線による効果は、それよりも腰や手足などの身体の各部が柔軟になることがわかる。
なお、他に１５名の健常者に対しても同様の実験を行い、ほぼ全員に同様の効果が確認されている。
【００３８】
なお、遠赤外線放射器具１０および遠赤外線放射器具２０は、風邪や喘息による咳を鎮める効果も確認されている。例えば、幼児の喘息が軽減されて結果的に回復した例や、風邪による咳のため夜眠れない状態が回避された例などがある。健康な状態のとき、ヒトの気管では、粘膜に覆われた繊毛により、埃などの異物を常時喉の方に送り出しているため、咳が出ない。風邪などでそのメカニズムが崩れると、ウイルスと戦った白血球の死骸（痰）や生きたウイルスを外へ出そうとして、咳が出ることが知られている。遠赤外線放射器具１０または遠赤外線放射器具２０を使用すると、遠赤外線による血流効果の促進で繊毛活動を活発化するため、咳を抑えることができると考えられる。
【図面の簡単な説明】
【００３９】
【図１】本考案の第１の実施の形態の遠赤外線放射器具を示す分解平面図である。
【図２】図１に示す遠赤外線放射器具の遠赤外線放射体の変形例を示す平面図である。
【図３】本考案の第２の実施の形態の遠赤外線放射器具を示す分解平面図である。
【図４】図２に示す遠赤外線放射器具の変形例を示す（ａ）ブロック図、（ｂ）拡大側面図である。
【図５】比較実施例の数珠状シリカを示す平面図である。
【図６】図１に示す遠赤外線放射器具および図５に示す数珠状シリカの、ヒザの痛みに対する効果の時間変化を示すグラフである。
【図７】図１に示す遠赤外線放射器具および図３に示す遠赤外線放射器具の、ヒザの痛みに対する効果の時間変化を示すグラフである。
【図８】図３に示す遠赤外線放射器具を使用したときの、前屈時の手の指先の到達距離の時間変化を示すグラフである。
【符号の説明】
【００４０】
１０  遠赤外線放射器具
１１  断熱材
１２  電磁波反射板
１２ａ  電磁波反射面
１２ｂ  収納部
１３  布製ケース
１４  遠赤外線放射体
１４ａ  遠赤外線放射物質
１４ｂ  ホワイトゴールド
【図１】
0003112887.tif 000003
【図２】
0003112887.tif 000004
【図３】
0003112887.tif 000005
【図４】
0003112887.tif 000006
【図５】
0003112887.tif 000007
【図６】
0003112887.tif 000008
【図７】
0003112887.tif 000009
【図８】
0003112887.tif 000010